(57)【特許請求の範囲】
【請求項１】
薄金属板からなる缶体の開口端に、内面側にヒートシーラント層を備えたヒートシール蓋を熱接着させるヒートシール薄肉軽量缶において、
缶体がその円筒形胴部の開口端に外巻きカール部を備え、
そのカール部の形状が、先ず、円筒形胴部の開口端にフランジ部を形成し、次に、該フランジ部を前記胴部の半径方向に沿う平面から鋭角にかつ前記開口端から後退する方向に傾斜したハゼ折り部に成形し、しかる後に、そのハゼ折り部が前記胴部の半径方向に沿う平面から鋭角に前記開口端に向かう方向に傾斜した形状を内部に持つ断面円弧形の頂部を備えたカール部に成形して得られた形状であるとともに、
前記断面円弧形の頂部を備えたカール部内のハゼ折り部が、前記胴部の半径方向に沿う平面から約６０°までの範囲内で、前記開口端側に向けて傾斜した形状であることを特徴とする。
【発明の詳細な説明】
【０００１】
【発明の属する技術分野】
本発明は、薄金属板からなる缶体の開口部にヒートシール蓋を取り付けて密封するヒートシール薄肉軽量缶に関する。
【０００２】
【従来の技術】
馬鈴薯粉をポテトチップ状に焼固させたスナック菓子を入れる容器として、紙や金属箔あるいは合成樹脂を螺旋に巻いてコンポジット缶を形成し、その底部を薄金属製蓋で覆い、また先端側の開口端にヒートシール蓋を熱接着させた紙容器が知られている。この種の容器は、いわゆる本体部分を金属と紙とによって構成した複合容器であるため、この容器をゴミとして廃棄する場合、可燃物である紙といわゆる資源ゴミに相当する金属部分とに分別する必要があり、廃棄処理が難しい。また、この様な現行品の紙容器で、馬鈴薯粉をポテトチップ状に焼固させたスナック菓子を詰める高さが約９ｃｍ程度のコンポジット缶は、その胴部だけの重量が、２０ｇを越えており、軽量化が望まれる。
【０００３】
一方、上記の紙容器より軽量なヒートシール缶が、特開昭５７−５５８７４号公報や特開昭６２−１６８８４６号公報に開示されている。これらのヒートシール缶は、薄金属板を素材として絞り加工やしごき加工によって作られたものであり、素材が薄金属板であって材種が単一であるためにリサイクル性が良好であり、また遮光性、酸素バリヤ性に優れている。
【０００４】
これらの公報に開示されているヒートシール缶は、缶体の開口端に水平なフランジ部を備え、そのフランジ部の外周端部が外巻きに成形されてカール部となっており、これらのフランジ部とカール部とにヒートシール蓋を熱接着させる構造を備えている。その結果、この構造によって、ヒートシール面積が大きく成り、丈夫な熱接着部を形成している。
【０００５】
【発明が解決しようとする課題】
上記のヒートシール缶は、熱接着部が丈夫であるから密封性に優れている。しかしながら、広い面積で熱接着させているヒートシール蓋の接着強度が高いことが、反面、缶の開封を困難にしており、開封性が必ずしも良好ではない。また、開口端に形成されているフランジ部は、ヒートシール蓋の接着面積を増大させているが、缶体の重量の増大要因にもなっており、軽量化の点では不利な構造となっている。さらに、前記フランジ部は、ヒートシール蓋の熱接着性の向上を主眼に形成されているので、その点での機能が良好であっても、缶全体としての意匠性もしくはファッション性を損なう要因となっている。結局、従来のヒートシール缶は、密封性および開封性、ならびに軽量化および意匠性など、ヒートシール缶に要求される特性を必ずしも充分には満足しておらず、改良の余地が多分にあった。
【０００６】
本発明は、上記の技術的課題に着目してなされたものであって、密封性を損なうことなく開け易く、しかも軽量なヒートシール缶を提供することを目的とするものである。
【０００７】
【課題を解決するための手段およびその作用】
本発明は、上記の目的を達成するために、薄金属板からなる缶体の開口端に、内面側にヒートシーラント層を備えたヒートシール蓋を熱接着させるヒートシール薄肉軽量缶において、缶体がその円筒形胴部の開口端に外巻きカール部を備え、そのカール部の形状が、先ず、円筒形胴部の開口端にフランジ部を形成し、次に、該フランジ部を前記胴部の半径方向に沿う平面から鋭角にかつ前記開口端から後退する方向に傾斜したハゼ折り部に成形し、しかる後に、そのハゼ折り部が前記胴部の半径方向に沿う平面から鋭角に前記開口端に向かう方向に傾斜した形状を内部に持つ断面円弧形の頂部を備えたカール部に成形して得られた形状であるとともに、前記断面円弧形の頂部を備えたカール部内のハゼ折り部は、前記胴部の半径方向に沿う平面から約６０°までの範囲内で、前記開口端側に向けて傾斜した形状であることを特徴とするものである。
【０００９】
したがって本発明によれば、上記の形状の外巻きカール部の表面にヒートシール蓋が熱接着させられる。その場合に、外巻きカール部に荷重を掛けることになるが、三つの工程を経て外巻きカール部を成形しているので、外巻きカール部の強度が高く、熱接着時の荷重で過度に変形することがなく、外巻きカール部に成形時に歪み等が発生していないためヒートシール蓋が良好に熱接着され、確実に密封される。また、ヒートシール蓋が熱接着される外巻きカール部は、缶体の開口端から外側に滑らかに湾曲した形状であるから、開封する場合には、ヒートシール蓋の端部を摘んで容易に開封することができ、さらに滑らかに湾曲した形状であることにより意匠性あるいはファッション性が良好になる。
【００１０】
さらに本発明では、外巻きカール部の先端部に、そのカール部の内側に延びた形状のハゼ折り部を備えているので、これが外巻きカール部の強度を高くしていることに加え、そのエッジ部に指が掛かることがないので、安全性の高いヒートシール缶となっている。
【００１１】
【発明の実施の形態】
つぎに本発明を具体例によって更に詳細に説明する。先ず、図１および図２に本発明の一例としてのヒートシール缶１を示した。なお、図１は、そのヒートシール缶１の全体を示す断面図であり、図２は、そのヒートシール缶１の開口端のカール部２を拡大して示す部分断面図である。
【００１２】
本発明のヒートシール缶１は、公知の易加工性及び耐腐食性を備えたフィルム又は合成樹脂を片面若しくは両面に備えているか、全くコートしていないアルミニウム製の薄板をカップ状に打ち抜き、そのカップ状の中間材に絞り加工や、絞り加工としごき加工とを施して作られている。したがって、円筒形の胴部４を備えており、その胴部４の下端は、胴部４と一体の底部５と成っており、また胴部４の上端の開口端にカール部２が設けられている。
【００１３】
カール部２は、外巻きであって、そのカール部２の先端がヒートシール缶１の内側に入らない構造に成っている。より具体的には、カール部２は、胴部４から滑らかに続いた断面形状がほぼ円弧形の頂部６を備え、その先端は、断面形状がほぼ直線のハゼ折り部７で終わっている。
【００１４】
ハゼ折り部７は、水平乃至水平面（すなわち胴部４の半径方向に沿う平面）から約６０°の角度上方に（すなわち開口端に向けて）傾斜している。したがって、カール部２の先端が手あるいは指に触るおそれが全く無く、安全な構造となっている。ハゼ折り部７の角度が６０°を越えると、ハゼ折り部７の付け根が割れてしまうおそれが有り、その角度は、水平から約６０°の範囲内に成るようにするのが好ましい。また、ハゼ折り部７は、カール部２の胴部４側の頂部６には接触しない長さを有していて、カール部２の頂部６の外周側に剛性を付与し、胴部４側の頂部６とその強さをほぼ同程度としている。したがって、ハゼ折り部７は、カール部２が変形することを防止し、頂部６が変形したり、そのためにヒートシール蓋３に剥離力が作用したりすることを防いでいる。
【００１５】
上記のカール部２の頂部６には、内面側にヒートシーラント層を備えた金属箔及び／又は合成樹脂から成るヒートシール蓋３が熱接着されており、そのヒートシール蓋３の外周部分が、カール部２の半径方向の幅Ｔの約７６％程度の熱接着幅ｔでカール部２の頂部６を覆っている。
【００１６】
ここで、上記のカール部２の成形方法および成形装置について、その概略を示す図３乃至図６を参照して説明する。
【００１７】
カール部２は、先ず、第１工程として、通常の絞り加工や、絞り加工としごき加工とで作られた缶体の円筒形の胴部４の開口端にフランジ部８を形成し、次に、第２工程として、該フランジ部８を水平面から鋭角に下方に傾斜したハゼ折り部７に成形し、しかる後に、最終工程として、該ハゼ折り部７が水平乃至水平面から鋭角に上方に傾斜した形状を内部に持つ円弧形の頂部６を備えたカール部２にカール加工する方法で成形される。
【００１８】
第１工程のフランジ部８の成形方法として、図３に示したダイ方式と図４に示したロール方式がある。
【００１９】
ダイ方式は、鉛直面から１．５Ｒのアール面を備えかつそのアール面に続けて水平面から１０°程度上方に向かって傾斜した成形面１１を備えたダイ１２を使用し、そのダイ１２を、缶体の開口端に被せ、エアーを缶体内に吹き込んで缶体の挫屈の発生を防ぎながら、ダイ１２を下降させ、若しくは、缶体を上昇させて、フランジ部８を形成する方式である。
【００２０】
また、ロール方式は、鉛直面から１．５Ｒのアール面を備えかつそのアール面に続く水平面から１０°程度上方に向かって傾斜した成形面１３を備えている自由回転可能な複数のロール１４を、缶体の開口端に被せ、また一方、自由回転する中子１５を缶体に挿入してその開口端の半径方向の変形を防止しながら、缶体を回転させ、同時にロール１４群を下降させ、若しくは、缶体を上昇させて、フランジ部８を形成する方式である。
【００２１】
次に、カール部２を成形する第２工程では、如上のいずれかの方式で成形したフランジ部８を備えた缶体の内側に、ダイ１８を挿入する一方、鉛直面に対して４５°の角度で下方外方に向かって傾斜している成形面１６を備えかつダイ１８の外壁との間に隙間１９を形成するリングダイ１７をダイ１８の外側から被せ、エアーをダイ１８から缶体内に吹き込んで缶体の挫屈の発生を防ぎながら、リングダイ１７とダイ１８を下降させ、若しくは、缶体を上昇させて、フランジ部８を成形面１６で傾斜させながらダイ１８とリングダイ１７との間の隙間１９に嵌入させ、こうすることにより水平面から鋭角に下方に傾斜したハゼ折り部７を形成する。したがって、ハゼ折り部７は、予め、フランジ部８を成形した後に成形されるため、歪みや偏りの無い状態で成形される。
【００２２】
しかる後、最終工程では、鉛直面から１．２５Ｒのアール面を備えかつそのアール面に続く水平面から１０°程度上方に向かって傾斜した成形面２０を備えたダイ２１を、ハゼ折り部７を形成させた缶体の開口端に被せ、エアーを缶体内に吹き込んで缶体の挫屈の発生を防ぎながら、ダイ２１を下降させ、若しくは、缶体を上昇させて、カール部２を形成する。
【００２３】
このとき、水平面から鋭角に下方に傾斜したハゼ折り部７は、ほぼ反転して、水平乃至水平面から約６０°上方に傾斜した状態に成形され、成形途中に、先端部が歪んだり、カール部２の円弧形の頂部６に歪みが生じたりしない様に作用する。
【００２４】
この様に、カール部２は三つの工程を経て成形されるため、カール部２の頂部６には歪みなどが全く無く、従って、ヒートシール蓋３が接着不良箇所を発生させることもなく確実に熱接着され、その結果、ヒートシール缶１が極めて良好にシールされる。また、カール部２が滑らかに湾曲している形状であり、かつその剛性が高いために、スムースに開封でき、さらにカール部２の先端は、ハゼ折り部７としてカール部２の内部に納められているため、カール部２の先端で指を切るようなおそれも全く無い。
【００２５】
【実施例】
本発明の実施例を以下に示す。
【００２６】
先ず、板厚が約０．３mmの無塗装のアルミニウム合金板に、絞り加工としごき加工とを施して、直径約６６mm、高さ約１０４mmで、胴部４の最薄板厚が約０．１mmの缶体を作り、内面にエポキシフェノール樹脂を通常の方法で塗布して乾燥し、重さが約１１ｇの薄肉で軽量な缶体を作った。その缶体の円筒形の胴部４の開口端に、幅が約１．８７mmのフランジ部８を形成し、高さが約１０２mmの缶体に成形し、該フランジ部８を、ダイ１８とリングダイ１７との隙間１９が０．６mmの装置で、幅が約１．２８mmのハゼ折り部７に形成し、高さが約１０１mmの缶体とした。さらに最終工程で、この缶体のハゼ折り部７を水平面から約４０°上方に傾斜した状態に成形し、幅が約２．１mmのカール部２を形成し、高さが約９８mmの薄肉軽量缶に成形した。
【００２７】
該薄肉軽量缶は、１７６３Ｎ（ニュートン）の垂直荷重に耐え得るもので、該薄肉軽量缶に、馬鈴薯粉をポテトチップ状に焼固させた塩分と油分を含むスナック菓子を充填し、直ちに液体窒素を充填して、カール部２にヒートシール蓋３を上から１１５６Ｎで加圧しながら熱接着させて密封した。
【００２８】
ヒートシール蓋３は、外面側から順にポリエチレンテレフタレート層、ドライラミネート接着剤層、９μm厚のアルミニウム箔層、２０μm厚のポリエチレン層、ヒートシーラント層であるウレタン系接着剤層から成り、総厚みが７５μmのもので、開封性を高めるために、端縁に、蓋と一体の取っ手を付加させたものを使用した。
【００２９】
本実施例の評価結果を表１に示した。
【表１】
0004755788.tif 000002
【００３０】
表中、缶内面腐食欄の×印は、開封前に内面腐食が起きてしまったものを示し、△印は、開封後に内面腐食が起きたものを示す。また、フレーバー欄の×印は、油分が酸化したものを示し、△印は、金属臭が内容物に付着してしまったものを示す。
【００３１】
この評価結果から、缶内面コートが無いと、塩分によって缶内面が腐食し、内容物に金属臭が付き、内容物の味が悪くなり、通常充填で、缶内に酸素が有ると、内容物の油分が酸化してフレーバーが悪くなることが判る。
【００３２】
【発明の効果】
本発明のヒートシール薄肉軽量缶は、カール部が三つの工程を経て成形されるため、カール部の頂部には歪みなどが全く無く、従って、ヒートシール蓋を接着不良箇所を発生させることなく確実に熱接着することができ、その結果、ヒートシール缶を極めて良好にシールでき、またスムースに開封でき、さらにはカール部の先端が隠れているので安全性の高いものとすることができる。また、ヒートシール蓋を熱接着するカール部は、開口端から半径方向外向きに大きく突出させる必要がないので、缶の軽量化を図ることができる。
【００３３】
さらに、液体窒素充填をして、缶内を陽圧化させても、カール部の剛性が高いことによってその頂部には歪みなどが全く無いため、ヒートシール蓋が接着不良箇所を発生させることがなく、そのため極めて良好にシールでき、またそのシール状態を維持できる。
【図面の簡単な説明】
【図１】  本発明のヒートシール缶の断面図である。
【図２】  本発明のヒートシール缶のカール部を拡大して示した部分断面図である。
【図３】  カール部成形の第１工程におけるダイ方式によるフランジ部成形を示した概略図である。
【図４】  カール部成形の第１工程におけるロール方式によるフランジ部成形を示した概略図である。
【図５】  カール部成形の第２工程におけるハゼ折り部成形を示した概略図である。
【図６】  カール部成形の最終工程を示した概略図である。
【符号の説明】
１…ヒートシール缶、  ２…カール部、  ３…ヒートシール蓋、  ４…胴部、
６…頂部、  ７…ハゼ折り部、  ８…フランジ部。
【図１】
0004755788.tif 000003
【図２】
0004755788.tif 000004
【図３】
0004755788.tif 000005
【図４】
0004755788.tif 000006
【図５】
0004755788.tif 000007
【図６】
0004755788.tif 000008